(57)【特許請求の範囲】
【請求項１】
両側面部の前後に一方のケース保持部を、前部内面にカバーを引っ掛け固定する突部を、後部内面に後面パネルの一端部が係合する一方のケース側係合部をそれぞれ設けた一方のケースと、
両側面部の前後に他方のケース保持部を、後部に前記後面パネルの他端部が係合する他方のケース側係合部を、前部に前記カバーの引掛け部が係脱可能に係合する引掛け部用係合部を、両側面部の内面にプリント回路板を係脱可能に係合するプリント回路板係合部をそれぞれ設けた他方のケースと、
両端部に一方及び他方のケースの後部の一方及び他方のケース保持部を挿入係止する切欠き部を有する後面パネルと、
両側に一方及び他方のケースの一方及び他方のケース保持部を収容する切欠き部と、一方の面部に一方のケースの突部が引っ掛けられる孔と、他方の面部に他方のケースの引掛け部用係合部に係合する引掛け部とをそれぞれ設けたカバーとを備え、
前記後面パネルの他端部を前記他方のケースの他方のケース側係合部に係合し、前記後面パネルの一端部を前記一方のケースの一方のケース側係合部に係合した状態で、前記一方のケースの一端部の後部の一方のケース保持部と前記他方のケースの一端部の後部の他方のケース保持部とが前記後面パネルの一端の切り欠き部に挿入係止され、かつ、前記一方のケースの他端部の後部の一方のケース保持部と前記他方のケースの他端部の後部の他方のケース保持部とが前記後面パネルの他端の切り欠き部に挿入係止されると共に、
前記カバーの孔を前記一方のケースの突部に引っ掛け、前記カバーの引掛け部を前記他方のケースの引掛け部用係合部に係合した状態で、前記一方のケースの一端部の前部の一方のケース保持部と前記他方のケースの一端部の前部の他方のケース保持部とが前記カバーの一端の切り欠き部に挿入係止され、かつ、前記一方のケースの他端部の前部の一方のケース保持部と前記他方のケースの他端部の前部の他方のケース保持部とが前記カバーの他端の切り欠き部に挿入係止される、ことを特徴とする電気機器装置の筐体構造。
【請求項２】
前記カバーが、その前面に表示パネルを収容する表示パネル収容部を、その内面に、押ボタンユニットを収容固定する押ボタンユニット収容部及び押ボタンを収容固定する押ボタン収容部とをそれぞれ備えている請求項１記載の電気機器装置の筐体構造。
【請求項３】
一方のケースの一方のケース側係合部を、前記後面パネルの一端部が係合する溝と、この溝に前記後面パネルの一端部を導く傾斜面とで構成し、他方のケースの他方のケース側係合部を、前記後面パネルの他端部が係合する溝で構成した請求項１又は請求項２記載の電気機器装置の筐体構造。
【発明の詳細な説明】
【０００１】
【産業上の利用分野】
本発明は、電話機やファクシミリ等のように電話回線を使用して情報通信を行う電気機器装置の筐体構造に関するものである。
【０００２】
【従来の技術】
従来電話回線を使用して情報通信を行う通信端末装置等の電気機器装置においては、図２４に示すように筐体構造は、合成樹脂製の上部ケースａと、下部ケースｂと、表示パネルｆを貼付けたカバーｃと、板金等の導体から成る後面パネルｄとから構成してあり、内部にはプリント回路板ｅが収容固定してあり、このプリント回路板ｅには押ボタンｌを装着した電源スイッチｋと、押ボタンｎを装着した電鍵ｍが搭載してある。
【０００３】
そして、上部ケースａは、その前部のボスｇをカバーｃの穴ｊに、下部ケースｂは、その前部のボスｈをカバーｃの穴ｊにそれぞれ係合させ、また、上、下部ケースａ、ｂの後部の溝ｓに後面パネルｄを係合させて、下部ケースｂ及びプリント回路板ｅを、上部ケースａの複数のボスｒにねじｐを用いて固定することで電気機器が組み立てられている。
【０００４】
【発明が解決しようとする課題】
しかしながら、上記従来の電気機器では、下部ケースｂ及びプリント回路板ｅを、上部ケースａの複数のボスｒに多くのねじｐを用いて固定するため、組立ての作業性が悪いなどの問題点があった。
【０００５】
本発明は、上記欠点を改善するためになされたもので、その目的とするところは、従来の筐体構造に比べてねじの使用が無くなり、簡単に組立てることができ、組立作業性を向上させる電気機器装置の筐体構造を提供することにある。
【０００６】
【課題を解決するための手段】
上記の目的を達成するために、請求項１の発明に係わる電気機器装置の筐体構造は、両側面部の前後に一方のケース保持部を、前部内面にカバーを引っ掛け固定する突部を、後部内面に後面パネルの一端部が係合する一方のケース側係合部をそれぞれ設けた一方のケースと、両側面部の前後に他方のケース保持部を、後部に前記後面パネルの他端部が係合する他方のケース側係合部を、前部に前記カバーの引掛け部が係脱可能に係合する引掛け部用係合部を、両側面部の内面にプリント回路板を係脱可能に係合するプリント回路板係合部をそれぞれ設けた他方のケースと、両端部に一方及び他方のケースの後部の一方及び他方のケース保持部を挿入係止する切欠き部を有する後面パネルと、両側に一方及び他方のケースの一方及び他方のケース保持部を収容する切欠き部と、一方の面部に一方のケースの突部が引っ掛けられる孔と、他方の面部に他方のケースの引掛け部用係合部に係合する引掛け部とをそれぞれ設けたカバーとを備え、前記後面パネルの他端部を前記他方のケースの他方のケース側係合部に係合し、前記後面パネルの一端部を前記一方のケースの一方のケース側係合部に係合した状態で、前記一方のケースの一端部の後部の一方のケース保持部と前記他方のケースの一端部の後部の他方のケース保持部とが前記後面パネルの一端の切り欠き部に挿入係止され、かつ、前記一方のケースの他端部の後部の一方のケース保持部と前記他方のケースの他端部の後部の他方のケース保持部とが前記後面パネルの他端の切り欠き部に挿入係止されると共に、前記カバーの孔を前記一方のケースの突部に引っ掛け、前記カバーの引掛け部を前記他方のケースの引掛け部用係合部に係合した状態で、前記一方のケースの一端部の前部の一方のケース保持部と前記他方のケースの一端部の前部の他方のケース保持部とが前記カバーの一端の切り欠き部に挿入係止され、かつ、前記一方のケースの他端部の前部の一方のケース保持部と前記他方のケースの他端部の前部の他方のケース保持部とが前記カバーの他端の切り欠き部に挿入係止されることを特徴とする。
【０００７】
また、上記の目的を達成するために、請求項２の発明に係わる電気機器装置の筐体構造は、請求項１記載の電気機器装置の筐体構造において、前記カバーが、その前面に表示パネルを収容する表示パネル収容部を、その内面に、押ボタンユニットを収容固定する押ボタンユニット収容部及び押ボタンを収容固定する押ボタン収容部とをそれぞれ備えている。
【０００８】
また、上記の目的を達成するために、請求項３の発明に係わる電気機器装置の筐体構造は、請求項１又は請求項２記載の電気機器装置の筐体構造において、一方のケースの一方のケース側係合部を、前記後面パネルの一端部が係合する溝と、この溝に前記後面パネルの一端部を導く傾斜面とで構成し、他方のケースの他方のケース側係合部を、前記後面パネルの他端部が係合する溝で構成した。
【０００９】
【作用】
かかる構成により、他方のケースのプリント回路板係合部にプリント回路板を係合させ、この他方のケースの他方のケース側係合部に後面パネルの他端部を係合すると共に、後面の一端部を一方にケースの一方のケース側係合部に係合して、後面パネルの両側の切欠き部に、一方及び他方のケースの後部の一方及び他方のケース保持部を係合して一方及び他方のケースの後部を後面パネルを介して固定する。
【００１０】
そして、前記カバーの一方の面部に設けた孔を、一方のケース突部に引っ掛けて前記カバーを回転させて、このカバーの両側の切欠き部に、一方及び他方のケースの前部の一方及び他方のケース保持部を係合すると共に、前記カバーの他方の面部に設けた引掛け部を他方のケースの引掛け部用係合部に係合して一方及び他方のケースの前部を前記カバーを介して固定することができる。
【００１１】
このように、従来の構造に比べてねじの使用が無くなり、簡単に電気機器を組立てることができ、組立て作業性を向上させることができる。
【００１２】
【実施例】
以下、本発明の実施例を図１乃至図２３に基づいて説明する。図１は本発明の一実施例に係る筐体構造を備えた電気機器装置を示す斜視図、図２は同正面図、図３は同平面図、図４は同右側面図、図５は同背面図、図６は同分解斜視図である。
【００１３】
本発明に係る電気機器装置の筐体構造は、合成樹脂製の一方のケースである上部ケース１と、他方のケースである下部ケース２と、カバー３と、金属製の後面パネル４と、プリント回路板５と、押ボタン６と、復帰ばね７と、表示パネル８と、押しボタンユニット９とで構成されている。
【００１４】
前記上部ケース１は、図７に示すように上面部１Ａと、左、右側面部１Ｂ、１Ｃとを有しており、前面部と後面部が欠如している。そして、前記左側面部１Ｂには放熱孔１ａが形成してあり、また左、右側面部１Ｂ、１Ｃの前後に位置させて一方のケース保持部である上部ケース保持部２０、２１が上部ケース１と一体に突設されている。
【００１５】
前後の上部ケース保持部２０、２１は同構成であり、これは突部１ｎ、１ｈと、これより内側に位置した係止部１ｍ、１ｆを形成したものであり、後部の突部１ｈの上面１ｇは傾斜面となっており、又、前部の突部１ｎの上面は円弧状となっている。
【００１６】
また、左、右側面部１Ｂ、１Ｃの内面部には、前後に位置させて縦リブ１ｃが形成してあり、これらの縦リブ１ｃの下端部には間隙１ｄが形成してある。また、前記上部ケース１の前面部内面の左右には、カバー３を引っ掛け固定する突部１ｂが設けてあり、前記上部ケース１の上面部１Ａの後部内面の中央部には、後面パネル４の上部４ｅを係合する一方のケース側係合部である係合部２２が上部ケース１と一体にして形成されており、この係合部２２は傾斜面１ｋと溝１ｌとを備えている。
【００１７】
前記下部ケース２は、図８に示すように底面部２Ａと、左、右側面部２Ｂ、２Ｃとを有しており、前面部と後面部が欠如している。また、左、右側面部２Ｂ、２Ｃの前後に位置させて、他方のケース保持部である下部ケース保持部２３、２４が下部ケース２と一体に突設されている。
【００１８】
前後の下部ケース保持部２３、２４は同構成であり、これは突部２ｎ、２ｇと、これより内側に位置した係止部２ｍ、２ｆを形成したものである。下部ケース２の後部には、後面パネル４の下部４ｆを収容固定する他方のケース側係合部である溝２ｊが設けてあり、また、前部にはカバー３の板状の引掛け部３ｐを固定する引掛け部係合部である角穴２ｌとこの角穴２ｌに引掛け部３ｐを案内する溝２ｋとが設けてある。また、左、右側面部２Ｂ、２Ｃの内面下部には前後に位置させて台２ｂが固着してあり、これらの台２ｂには載置部２ｃが形成してある。また、左、右側面部２Ｂ、２Ｃの内面下部には中央に位置させて突部２ｅと台２ｄが固着してあり、これらでプリント回路板係合部を構成している。
【００１９】
前記後面パネル４は、図１０に示すように電気機器における静電気やノイズ等をシールドする目的から板金等の導体から形成されており、Ｕ字状の切欠き部４ｄと、穴４ｃが設けてある。また、両側には切欠き部４ａが設けてあり、中央付近と、両側には内側に突き出た複数の突部４ｂが設けてある。
【００２０】
前記カバー３は、図９に示すように全周にわたって段差３ｓが設けてあり、前面には表示パネル８を収容する表示パネル収容部３ｘと、左右には上部ケース１及び下部ケース２の突部１ｎ、２ｎを収容する切欠き部３ａと、上面部３１には左、右の穴３ｂが、下面部３２には段差３ｒと、両側に溝３ｔを有する板状の引掛け部３ｐとがそれぞれ設けてある。
【００２１】
また、前記カバー３の内面の左側には、押ボタンユニット９を収容固定する押ボタンユニット収容部３３が設けてあり、この押ボタンユニット収容部３３は、ボス３ｅ、３ｄ及び角穴３ｙが、上面部３１には穴３ｃがそれぞれ設けてあり、一方、内面の右側には、押ボタン６を収容固定する押ボタン収容部３４が設けてあり、この押ボタン収容部３４は、穴３ｍから成る筒状の収容部３ｖと、穴３ｌと、柱３ｕから構成される角穴３ｎと、プリント回路板５の前部５ｃを固定する固定部３ｋとが設けてある。
【００２２】
また、前記カバー３の内面の中央付近には、プリント回路板５の前部に搭載した発光ダイオード（ＬＥＤ）１５の光を通過する複数の穴３ｇと、リブ３ｈが設けてあり、中央部の複数のリブ３ｊは、リブ３ｈより下方に長くなっている。さらに、左側には、突部３ｆが設けてある。
【００２３】
前記表示パネル８は、図９に示すようにプリント回路板５の前部に搭載したＬＥＤ１５の光を外側から透視する透明部８ａが設けてある。前記押ボタン６は、図１２に示すように中央付近にボス６ａと、これより外側に位置した箇所にボス６ｂと、左右には段差６ｄから成る板状の引掛け部６ｃが設けてある。
【００２４】
前記復帰ばね７は、図１２に示すようにコイル状から成っている。また、前記押ボタンユニット９は、図１３に示すように長方形状のユニット本体９ｈを備えており、このユニット本体９ｈの上面後部の左右には前記カバー３の穴３ｃと係合する突部９ｇが、前面部の左右には前記カバー３の押ボタンユニット収容部３３のボス３ｅの穴と係合する突部９ｅがそれぞれ突設してあり、また、ユニット本体９ｈの前面より下方に突き出たくの字形突部９ｄの前面には、前記カバー３の押ボタンユニット収容部３３のボス３ｄの穴と係合する突部９ｆが突設してある。
【００２５】
また、ユニット本体９ｈの前面側には、押ボタン９ａが左右に並べて配置してあり、これらの押しボタン９ａは連結片９ｃを介してユニット本体９ｈに取り付けてある。また、押ボタン９ａの下部には、電鍵１６の先端１６ａと接触する台９ｂが形成してある。
【００２６】
前記プリント回路板５は、図１１に示すようにプリント基板より構成されている。そして、このプリント基板の前縁部５ｃには、作動子１６ａを有する電鍵１６と発光ダイオード（ＬＥＤ）１５と、作動子１４ａを有する電源スイッチ１４とが設けてある。また、プリント基板の後縁部５ｃには、インターフェースを構成するコネクタ１２、１３と、電源ケーブル１１をケーブルホルダー１１ａで固定、搭載したホルダー１０とが設けてあり、ホルダー１０にはねじ孔１０ａが形成してある。また、プリント基板の両側縁部５ｄの中央部には切欠き部５ａが形成してある。
【００２７】
次に、上記のように構成された電気機器装置の組立て動作を説明する。
【００２８】
まず、前記カバー３の前面外側の表示パネル収容部３ｘに前記表示パネル８を貼り付け固定する。次に、図１７及び図２０に示すように前記カバー３の内面の左側の押ボタンユニット収容部３３に押ボタンユニット９を矢印（ハ）方向に挿入して、押ボタンユニット９の押ボタン９ａをカバー３の角穴３ｙに収容し、押ボタンユニット収容部３３のボス３ｄ、３ｅの穴に押ボタンユニット９の突部９ｅ、９ｆをそれぞれ係合し、また、押ボタンユニット９の突部９ｇを、前記カバー３の上面部３１の穴３ｃに係合することで、前記押ボタンユニット９を前記カバー３に固定する。
【００２９】
尚、前記押ボタンユニット９のユニット本体９ｈは、突部９ｅとボス３ｅとの係合部を支点とする片持ち梁構造で弾性を有しているため押ボタンユニット９の挿入を容易にし、ユニット本体９ｈの後部がカバー３の上面部３１の内面を押し付けることで、押ボタンユニット９の固定を確実にしている。また、前記突部９ｆとボス３ｄとの係合位置を、突部９ｅとボス３ｅとの係合位置より後方に位置させたことで、前記突部９ｇと穴３ｃとの係合を外れにくくしている。
【００３０】
次に、押ボタン６のボス６ａに復帰ばね７を装着する。次に、図２１に示すように、この状態からカバー３の内面の左側の押ボタン収容部３４に、前記復帰ばね７を装着した押ボタン６のボス６ａを筒状の収容部３ｖに挿入して収容し、また、前記ボス６ｂを穴３ｌに、左右に設けた板状の引掛け部６ｃを角穴３ｎにそれぞれ挿入して押しボタン６の装着を完了する。この場合、前記復帰ばね７は、押ボタン６の内面と前記押ボタン収容部３４の筒状の収容部３ｖの端面３ｗとの間に装着される。
【００３１】
ここで、前記押ボタン６の板状の引掛け部６ｃに設けた段差６ｄと、前記カバー３の押ボタン収容部３４に設けた柱３ｕとの係合は、押ボタン６の操作時の外れを防止し、また、押しボタン６のボス６ａを押しボタン収容部３４の筒状の収容部３ｖで収容することは、押ボタン６の押下時の片寄りを防止し、操作を円滑にしている。
【００３２】
次に、上部ケース１と、下部ケース２と、プリント回路板５の装着について説明する。まず、図１９に示すように、下部ケース２の左、右側面部２Ｂ、２Ｃの前後に設けた台２ｂ及び中央に設けた台２ｄにプリント回路板５を載置し、下部ケース２の突部２ｅと、プリント回路板５の切欠き部５ａを係合させてプリント回路板５を下部ケース２に装着する。
【００３３】
次に、後面パネル４の装着について説明する。まず、図１４及び図１６に示すように、下部ケース２の底面部２Ａの後部に設けた溝２ｊに後面パネル４の下部４ｆを係合し、この係合部を支点として矢印（ロ）方向に回転させて、図２２に示すように後面パネル４の上部４ｅを上部ケース１の後面中央付近の係合部２２の傾斜面１Ｋに摺接させてこの上部４ｅを溝１ｌに係合する。このとき、後面パネル４の左右の切欠き部４ａに、上部ケース１の後部に設けた上部ケース保持部２１の突部１ｈと、下部ケース２の後部に設けた下部ケース保持部２４の突部２ｇが係合して上部ケース１と、下部ケース２の後部が後面パネル４を介して固定される。
【００３４】
また、図１８に示すように後面パネル４の突部４ｂがプリント回路板５の後部５ａの上面に載置するため、プリント回路板５の後部は固定される。ここで、図２３に示すように上部ケース１の傾斜面１ｋは、後面パネル４の上部４ｅの挿入を円滑にし、また、上部ケース１の溝１ｌ付近が点線で示すように変形するため、上部ケース１の溝１ｌと後面パネル４の上部４ｅとが係合する際の作業性を容易にしている。
【００３５】
また、図１６に示すように、後面パネル４が矢印（ロ）方向に回転して上部４ｅが上部ケース１の傾斜面１ｋに接触した時点で、後面パネル４の切欠き部４ａは上部ケース１の後部に設けた係合突部２０の端面より内側に位置しているため、図２３に示す上部ケース１の溝１ｌ付近が点線で示すように変形する際の上部ケース１の後部の上方への動きを押さえている。
【００３６】
また、上部ケース１の係止部２０の突部１ｈの上面１ｇは外側に向かって傾斜面となっているため、後面パネル４を装着した際の後面パネル４の切欠き部４ａの上部と、上部ケース１の係止部２０の突部１ｈの上面１ｇとの間隙を少なくしている。
【００３７】
次に、押ボタン６、復帰ばね７及び押ボタンユニット９を装着したカバーユニットの装着について説明する。
【００３８】
図１５に示すように、カバー３の上面部３１の両側に設けた孔３ｂを、上部ケース１の内側の前部に設けた突部１ｂに引っ掛け、矢印（イ）方向に回転させて、カバー３の両側に設けた切欠き部３ａに、上部ケース１と、下部ケース２の前部の両側のそれぞれに設けた上、下部ケース保持部２０、２３の突部１ｎ、２ｎを係合し、カバー３の下面部３２の左右に設けた板状の引掛け部３ｐの先端を下部ケース２の溝２ｋをガイドにしながら挿入して角穴３ｎに係合し、板状の引掛け部３ｐの段差３ｒを下部ケース２の溝２ｋの端部２ｐに係合して上部ケース１と、下部ケース２の前部をカバー３を介して固定する。
【００３９】
また、図１７に示すように、プリント回路板５の前部５ｃの上面を、カバー３の内側に設けた突部３ｆと、複数のリブ３ｊと、収容部３４の固定部３ｋとで下側に押さえている。
【００４０】
ここで、前記カバー３の切欠き部３ａと、上部ケース１と、下部ケース２の上、下部ケース保持部２０、２３との係合は、上部ケース１及び下部ケース２の前部の上、下方向を押さえ、一方、カバー３の突部３ｆと、複数のリブ３ｊと、収容部３４の固定部３ｋでプリント回路板５の前縁部５ｃを押さえ、プリント回路板５の前縁部５ｃの上方への動きを押さえている。
【００４１】
また、上部ケース１の係止部２１の突部１ｎの上面１ｐは外側に向かって円弧状となっているため、カバー３の切欠き部３ａの上部と、上部ケース１の係止部２１の突部１ｎの上面１ｐとの間隙を少なくしている。
【００４２】
最後に、ビス１７を後面パネル４の孔４ｃを通して、プリント回路板５のホルダー１０のねじ孔１０ａに螺挿することにより全体の組立てが完了する。この組立てが完了した状態の電気機器装置を図１乃至図５に示す。尚、ビス１７は、後面パネル４とプリント回路板５のアースを、ホルダー１０を介して電気的に導通させている。
【００４３】
上記した実施例によれば、上部ケース１の台２ｂ及び突起２ｅにプリント回路板５を載置係合させ、この下部ケース２の溝２ｊに後面パネル４の下端部を係合すると共に、後面パネル４の上端部を上部ケース１の溝１ｌに係合して、後面パネル４の両側の切欠き部４ａに、上、下部ケース１，２の後部の上、下部ケース保持部２１、２４を係合して上、下部ケース１、２の後部を後面パネル４を介して固定し、前記カバー３の上面部に設けた孔３ｂを、上部ケース１の突部１ｂに引っ掛けて前記カバー３を回転させて、このカバー３の両側の切欠き部３ａに、上、下部ケース１、２の前部の上、下部ケース保持部２０、２３を係合すると共に、前記カバー３の下面部に設けた引掛け部３ｐを下部ケース２の角穴３ｎに係合して上、下部ケース１、２の前部を前記カバー３を介して固定することができる。
【００４４】
このように、従来の構造に比べてねじの使用が無くなり、簡単に電気機器を組立てることができ、組立て作業性を向上させることができる。
【００４５】
【発明の効果】
以上説明したように、請求項１の発明に係わる電気機器装置の筐体構造は、両側面部の前後に一方のケース保持部を、前部内面にカバーを引っ掛け固定する突部を、後部内面に後面パネルの一端部が係合する一方のケース側係合部をそれぞれ設けた一方のケースと、両側面部の前後に他方のケース保持部を、後部に前記後面パネルの他端部が係合する他方のケース側係合部を、前部に前記カバーの引掛け部が係脱可能に係合する引掛け部用係合部を、両側面部の内面にプリント回路板を係脱可能に係合するプリント回路板係合部をそれぞれ設けた他方のケースと、両端部に一方及び他方のケースの後部の一方及び他方のケース保持部を挿入係止する切欠き部を有する後面パネルと、両側に一方及び他方のケースの一方及び他方のケース保持部を収容する切欠き部と、一方の面部に一方のケースの突部が引っ掛けられる孔と、他方の面部に他方のケースの引掛け部用係合部に係合する引掛け部とをそれぞれ設けたカバーとを備え、前記後面パネルの他端部を前記他方のケースの他方のケース側係合部に係合し、前記後面パネルの一端部を前記一方のケースの一方のケース側係合部に係合した状態で、前記一方のケースの一端部の後部の一方のケース保持部と前記他方のケースの一端部の後部の他方のケース保持部とが前記後面パネルの一端の切り欠き部に挿入係止され、かつ、前記一方のケースの他端部の後部の一方のケース保持部と前記他方のケースの他端部の後部の他方のケース保持部とが前記後面パネルの他端の切り欠き部に挿入係止されると共に、前記カバーの孔を前記一方のケースの突部に引っ掛け、前記カバーの引掛け部を前記他方のケースの引掛け部用係合部に係合した状態で、前記一方のケースの一端部の前部の一方のケース保持部と前記他方のケースの一端部の前部の他方のケース保持部とが前記カバーの一端の切り欠き部に挿入係止され、かつ、前記一方のケースの他端部の前部の一方のケース保持部と前記他方のケースの他端部の前部の他方のケース保持部とが前記カバーの他端の切り欠き部に挿入係止される構成としたことにより、他方のケースのプリント回路板係合部にプリント回路板を係合させ、この他方のケースの他方のケース側係合部に後面パネルの他端部を係合すると共に、後面の一端部を一方のケースの一方のケース側係合部に係合して、後面パネルの両側の切欠き部に、一方及び他方のケースの後部の一方及び他方のケース保持部を係合して一方及び他方のケースの後部を後面パネルを介して固定することができ、また、前記カバーの一方の面部に設けた孔を、一方のケース突部に引掛けて前記カバーを回転させて、このカバーの両側の切り欠き部に、一方及び他方のケースの前部の一方及び他方のケース保持部を係合すると共に、前記カバーの他方の面部に設けた引掛け部を他方のケースの引掛け部用係合部に係合して一方及び他方のケースの前部を前記カバーを介して固定することができる。
【００４６】
このように、従来の構造に比べてねじの使用が無くなり、簡単に電気機器を組立てることができ、組立て作業性を向上させることができる。
【００４７】
また、請求項２の発明に係わる電気機器装置の筐体構造は、請求項１記載の電気機器装置の筐体構造において、前記カバーが、その前面に表示パネルを収容する表示パネル収容部を、その内面に、押ボタンユニットを収容固定する押ボタンユニット収容部と、押ボタンを収容固定する押ボタン収容部とをそれぞれ備えていることにより、上記した請求項１の発明の効果と同様の効果を奏し得る。
【００４８】
また、請求項３の発明に係わる電気機器装置の筐体構造は、請求項１又は請求項２記載の電気機器装置の筐体構造において、一方のケースの一方のケース側係合部を、前記後面パネルの一端部が係合する溝と、この溝に前記後面パネルの一端部を導く傾斜面とで構成し、他方のケースの他方のケース側係合部を、前記後面パネルの他端部が係合する溝で構成したことにより、上記した請求項１の発明の効果と同様の効果を奏し得るばかりか、他方のケースの溝に、前記後面パネルの他端部を係合し、この係合部を支点として後面パネルを回転させて、この後面パネルの一端部を一方のケース傾斜面に摺接させた後に溝に係合する。この場合、一方のケースの傾斜面は、前記後面パネルの一端部の挿入を円滑にし、また、一方のケースの溝付近が変形するため、一方のケースの溝と後面パネルの一端部とが係合する際の作業性を容易にしている。
【００４９】
また、前記後面パネルが回転してその一端部が一方のケースの傾斜面に接触した時点で、後面パネルの切欠き部は一方のケースの後部に設けた一方のケース保持部の端面より内側に位置しているため、一方のケースの溝付近が変形する際の一方のケースの後部の上方への動きを押さえることができる。
【図面の簡単な説明】
【図１】本発明の一実施例に係わる筐体構造を備えた電気機器装置の斜視図である。
【図２】同正面図である。
【図３】同平面図である。
【図４】同右側面図である。
【図５】同背面図である。
【図６】同分解斜視図である。
【図７】上部ケースの斜視図である。
【図８】下部ケースの斜視図である。
【図９】カバーの斜視図である。
【図１０】後面パネルの斜視図である。
【図１１】プリント回路板の斜視図である。
【図１２】押ボタンの斜視図である。
【図１３】押ボタンユニットの斜視図である。
【図１４】上部ケースと下部ケースと後面パネルの係合状態を示す一部断面及び破断した右側面図である。
【図１５】カバーの装着方法を示す側面図である。
【図１６】後面パネルの装着方法を示す側面図である。
【図１７】プリント回路板の前部の固定状態を示す斜視図である。
【図１８】プリント回路板の後部の固定状態を示す斜視図である。
【図１９】プリント回路板の側部の係合状態を示す斜視図である。
【図２０】押ボタンユニットの装着方法を示す図１７のＡ−Ａ線に沿う断面図である。
【図２１】押ボタンと復帰ばねの係合状態を示す斜視図である。
【図２２】後面パネルと上部ケースの係合状態を示す斜視図である。
【図２３】図２２のＢ−Ｂ線に沿う断面図である。
【図２４】従来の電気機器の分解斜視図である。
【符号の説明】
１    上部ケース（一方のケース）
１ｌ  溝（一方のケース側係合部）
２    下部ケース（他方のケース）
２ｅ  突部（プリント回路板係合部）
２ｊ  溝（他方のケース側係合部）
２ｎ  突部
３    カバー
３ａ  切欠き部
３ｂ  孔
３ｎ  角穴（引掛け部用係合部）
３ｐ  引掛け部
４    後面パネル
４ａ  切欠き部
４ｂ  突部
５    プリント回路板
２０、２１  上部ケース保持部
２３、２４  下部ケース保持部
【図１】
0003681197.tif 000002
【図２】
0003681197.tif 000003
【図３】
0003681197.tif 000004
【図４】
0003681197.tif 000005
【図５】
0003681197.tif 000006
【図６】
0003681197.tif 000007
【図７】
0003681197.tif 000008
【図８】
0003681197.tif 000009
【図９】
0003681197.tif 000010
【図１０】
0003681197.tif 000011
【図１１】
0003681197.tif 000012
【図１２】
0003681197.tif 000013
【図１３】
0003681197.tif 000014
【図１４】
0003681197.tif 000015
【図１５】
0003681197.tif 000016
【図１６】
0003681197.tif 000017
【図１７】
0003681197.tif 000018
【図１８】
0003681197.tif 000019
【図１９】
0003681197.tif 000020
【図２０】
0003681197.tif 000021
【図２１】
0003681197.tif 000022
【図２２】
0003681197.tif 000023
【図２３】
0003681197.tif 000024
【図２４】
0003681197.tif 000025